(57)【特許請求の範囲】
【請求項１】
走査信号を伝達する複数の走査線と、
データ信号を伝達する複数のデータ線と、
有機発光ダイオード、前記走査線および前記データ線に接続され前記有機発光ダイオードに供給される電流量を制御する画素回路、ならびに前記有機発光ダイオードと前記画素回路との間に接続される制御トランジスタを備える複数の画素と、
前記制御トランジスタに接続され前記制御トランジスタのオンオフを制御するための信号を伝達する複数の発光制御線と、を含む有機電界発光表示装置の駆動方法であって、
１つのフレーム期間を構成する第１〜第４フレーム期間のうち、第１フレーム期間中及び第３フレーム期間中、前記複数の走査線のうち、奇数番目走査線に走査信号を順次供給する第１段階と、第２フレーム期間中及び第４フレーム期間中、偶数番目走査線に走査信号を順次供給する第２段階と、を含み、
前記第１フレーム期間中、前記奇数番目走査線に順次供給される走査信号に対応して、３次元表示を実現するための左側映像用のデータ信号である左側データ信号及び右側映像用のデータ信号である右側データ信号のうち一方のデータ信号を前記データ線に供給し、前記第２フレーム期間中、前記偶数番目走査線に順次供給される走査信号に対応して、前記一方のデータ信号を前記データ線に供給し、
前記第３フレーム期間中、前記奇数番目走査線に順次供給される走査信号に対応して、前記左側データ信号及び前記右側データ信号のうち他方のデータ信号を前記データ線に供給し、前記第４フレーム期間中、前記偶数番目走査線に順次供給される走査信号に対応して、前記他方のデータ信号を前記データ線に供給し、
前記第１フレーム期間中及び前記第３フレーム期間中、前記発光制御線に供給する信号を制御して、すべての画素が非発光状態に設定され、
前記第２フレーム期間中及び前記第４フレーム期間中、前記発光制御線に供給する信号を制御して、すべての画素が発光状態に設定されることを特徴とする有機電界発光表示装置の駆動方法。
【請求項２】
前記画素は、前記発光制御線に発光制御信号が供給される時、非発光状態に設定されることを特徴とする請求項１に記載の有機電界発光表示装置の駆動方法。
【請求項３】
ｊ（ｊは奇数）番目走査線に走査信号が供給される時、ｊ番目発光制御線及びｊ＋１番目発光制御線に発光制御信号が供給されることを特徴とする請求項２に記載の有機電界発光表示装置の駆動方法。
【請求項４】
ｊ＋１（ｊは奇数）番目走査線に走査信号が供給される時、ｊ番目発光制御線及びｊ＋１番目発光制御線への発光制御信号の供給が中断され、前記画素が発光状態に設定されることを特徴とする請求項２または３に記載の有機電界発光表示装置の駆動方法。
【請求項５】
パネルの上部及び下部にそれぞれ形成された２つ以上の発光制御線に供給される発光制御信号は、前記上部及び下部以外の領域に形成された発光制御線に供給される発光制御信号よりも広い幅に設定されることを特徴とする請求項２〜４のいずれか１項に記載の有機電界発光表示装置の駆動方法。
【請求項６】
前記パネルの中心部から前記パネルの上部及び下部へ行くほど前記発光制御信号の幅が広くなるように設定されることを特徴とする請求項５に記載の有機電界発光表示装置の駆動方法。
【請求項７】
前記パネルの上部及び下部に位置された画素に供給されるデータのビットを変更する段階をさらに含むことを特徴とする請求項５または６に記載の有機電界発光表示装置の駆動方法。
【請求項８】
前記発光制御信号が広い幅に設定されることにより損失される輝度が補償されるように、前記データのビットが変更されることを特徴とする請求項７に記載の有機電界発光表示装置の駆動方法。
【請求項９】
前記第１フレーム期間中及び前記第２フレーム期間中に供給される走査信号に対応して、前記左側データ信号が供給され、前記第３フレーム期間中及び前記第４フレーム期間中に供給される走査信号に対応して、前記右側データ信号が供給されることを特徴とする請求項１〜８のいずれか１項に記載の有機電界発光表示装置の駆動方法。
【請求項１０】
走査信号を伝達する複数の走査線と、
データ信号を伝達する複数のデータ線と、
有機発光ダイオード、前記走査線および前記データ線に接続され前記有機発光ダイオードに供給される電流量を制御する画素回路、ならびに前記有機発光ダイオードと前記画素回路との間に接続される制御トランジスタを備える複数の画素と、
前記制御トランジスタに接続され前記制御トランジスタのオンオフを制御するための信号を伝達する複数の発光制御線と、
１つのフレーム期間を構成する第１〜第４フレーム期間のうち、第１フレーム期間中及び第３フレーム期間中、前記複数の走査線のうち、奇数番目走査線に走査信号を順次供給し、第２フレーム期間中及び第４フレーム期間中、偶数番目走査線に走査信号を順次供給する走査駆動部と、
前記走査信号と同期するように前記データ線にデータ信号を供給するデータ駆動部と、を備え、
前記データ駆動部は、前記第１フレーム期間中、前記奇数番目走査線に順次供給される走査信号に対応して、３次元表示を実現するための左側映像用のデータ信号である左側データ信号及び右側映像用のデータ信号である右側データ信号のうち一方のデータ信号を前記データ線に供給し、前記第２フレーム期間中、前記偶数番目走査線に順次供給される走査信号に対応して、前記一方のデータ信号を前記データ線に供給し、前記第３フレーム期間中、前記奇数番目走査線に順次供給される走査信号に対応して、前記左側データ信号及び前記右側データ信号のうち他方のデータ信号を前記データ線に供給し、前記第４フレーム期間中、前記偶数番目走査線に順次供給される走査信号に対応して、前記他方のデータ信号を前記データ線に供給し、
前記走査駆動部は、前記第１フレーム期間中及び前記第３フレーム期間中、すべての前記画素が非発光状態に設定されるように発光制御線に発光制御信号を供給し、前記第２フレーム期間中及び前記第４フレーム期間中、すべての前記画素が発光状態に設定されるように発光制御線への発光制御信号の供給を停止することを特徴とする有機電界発光表示装置。
【請求項１１】
前記走査駆動部は、ｊ（ｊは奇数）番目走査線に走査信号が供給される時、ｊ番目発光制御線及びｊ＋１番目発光制御線に発光制御信号を供給することを特徴とする請求項１０に記載の有機電界発光表示装置。
【請求項１２】
前記走査駆動部は、ｊ＋１（ｊは奇数）番目走査線に走査信号が供給される時、ｊ番目発光制御線及びｊ＋１番目発光制御線への発光制御信号の供給を中断して、前記画素を発光状態に設定することを特徴とする請求項１０または１１に記載の有機電界発光表示装置。
【請求項１３】
前記走査駆動部は、パネルの上部及び下部にそれぞれ形成された２つ以上の発光制御線に供給される発光制御信号を、前記上部及び下部以外の領域に形成された発光制御線に供給される発光制御信号よりも広い幅で供給することを特徴とする請求項１０〜１２のいずれか１項に記載の有機電界発光表示装置。
【請求項１４】
前記パネルの中心部から前記パネルの上部及び下部へ行くほど前記発光制御信号の幅が広くなるように設定されることを特徴とする請求項１３に記載の有機電界発光表示装置。
【請求項１５】
前記パネルの上部及び下部に位置された画素に供給されるデータのビットを変更して前記データ駆動部に供給するデータ変換部をさらに備えることを特徴とする請求項１３または１４に記載の有機電界発光表示装置。
【請求項１６】
前記データ変換部は、前記発光制御信号が広い幅に設定されることにより損失される輝度が補償されるように、前記データのビットを変更することを特徴とする請求項１５に記載の有機電界発光表示装置。
【請求項１７】
前記データ駆動部は、前記第１フレーム期間中及び前記第２フレーム期間中に供給される走査信号に対応して前記左側データ信号を供給し、前記第３フレーム期間中及び前記第４フレーム期間中に供給される走査信号に対応して前記右側データ信号を供給することを特徴とする請求項１０〜１６のいずれか１項に記載の有機電界発光表示装置。
【請求項１８】
ｊ番目発光制御線及びｊ＋１番目発光制御線は、同一の発光制御信号により制御されることを特徴とする請求項１１または１２に記載の有機電界発光表示装置。
【発明の詳細な説明】
【技術分野】
【０００１】
本発明は、有機電界発光表示装置及びその駆動方法に関し、特に、低い駆動周波数で駆動できるようにした有機電界発光表示装置及びその駆動方法に関する。
【背景技術】
【０００２】
近年、陰極線管（Ｃａｔｈｏｄｅ  Ｒａｙ  Ｔｕｂｅ）の短所である重さと体積を減らすことができる各種平板表示装置が開発されている。平板表示装置としては、液晶表示装置（Ｌｉｑｕｉｄ  Ｃｒｙｓｔａｌ  Ｄｉｓｐｌａｙ）、電界放出表示装置（Ｆｉｅｌｄ  Ｅｍｉｓｓｉｏｎ  Ｄｉｓｐｌａｙ）、プラズマ表示パネル（Ｐｌａｓｍａ  Ｄｉｓｐｌａｙ  Ｐａｎｅｌ）、及び有機電界発光表示装置（Ｏｒａｇａｎｉｃ  Ｌｉｇｈｔ  Ｅｍｉｔｔｉｎｇ  Ｄｉｓｐｌａｙ  Ｄｅｖｉｃｅ）などがある。
【０００３】
平板表示装置の中で有機電界発光表示装置は、電子と正孔の再結合によって光を発生する有機発光ダイオードを利用して映像を表示する装置で、速い応答速度を持つとともに低い消費電力によって駆動されるという長所がある。
【０００４】
有機電界発光表示装置は、複数のデータ線、走査線、電源線の交差部にマトリックス形態に配列される複数の画素を備える。画素は、一般的に、有機発光ダイオード、駆動トランジスタを含む２つ以上のトランジスタ、及び１つ以上のキャパシタからなる。
【０００５】
このような有機電界発光表示装置は、３Ｄ映像を実現するために、図１に示されるように、１６．６ｍｓの期間の間に４つのフレームを含む。４つのフレームの中で２つのフレームは、左側映像を表示し、残りの２つのフレームは、右側映像を表示する。
【０００６】
シャッターメガネは、左側映像が表示される期間中、一部期間の間左側メガネから光の供給を受け、右側映像が表示される期間中、一部期間の間右側メガネから光の供給を受ける。この時、シャッターメガネの着用者は、シャッターメガネを通じて供給される映像を３Ｄで認知する。
【０００７】
しかし、従来のように１６．６ｍｓの期間の間に４つのフレームが含まれるためには、２４０Ｈｚの駆動周波数で駆動されなければならないという問題がある。このように有機電界発光表示装置が高い周波数で駆動される場合、消費電力の上昇、安全性の低下、製造コストの上昇などの問題が発生する。
【先行技術文献】
【特許文献】
【０００８】
【特許文献１】韓国特許出願公開第１９９９−００８０３５１号明細書
【発明の概要】
【発明が解決しようとする課題】
【０００９】
本発明は、上記問題を鑑みてなされたものであって、その目的は、低い駆動周波数で駆動されることができるようにした有機電界発光表示装置及びその駆動方法を提供することである。
【課題を解決するための手段】
【００１０】
上記目的を達成するために、本発明の一実施形態による有機電界発光表示装置の駆動方法は、ｉ（ｉは、１、５、９、…）フレーム及びｉ＋２フレーム期間の間、ｊ（ｊは、１、３、５、７、…）番目走査線に走査信号を順次供給する第１段階と、ｉ＋１フレーム及びｉ＋３フレーム期間の間、ｊ＋１番目走査線に走査信号を順次供給する第２段階と、を含み、前記ｉフレーム及びｉ＋２フレーム期間の間、画素が非発光状態に設定される。
【００１１】
好ましくは、前記画素は、水平ラインごとに形成された発光制御線のうちいずれか１つと接続され、前記発光制御線に発光制御信号が供給される時、非発光状態に設定される。
【００１２】
前記ｊ番目走査線に走査信号が供給される時、ｊ番目発光制御線及びｊ＋１番目発光制御線に発光制御信号が供給される。前記ｊ＋１番目走査線に走査信号が供給される時、ｊ番目発光制御線及びｊ＋１番目発光制御線への発光制御信号の供給が中断される。
【００１３】
パネルの上部及び下部にそれぞれ形成された２つ以上の発光制御線に供給される発光制御信号は、前記上部及び下部以外の領域に形成された発光制御線に供給される発光制御信号よりも広い幅に設定される。前記パネルの中心部から前記パネルの上部及び下部へ行くほど前記発光制御信号の幅が広くなるように設定される。
【００１４】
前記パネルの上部及び下部に位置された画素に供給されるデータのビットを変更する段階をさらに含む。前記発光制御信号が広い幅に設定されることにより損失される輝度が補償されるように、前記データのビットが変更される。前記ｉフレーム及びｉ＋１フレーム期間の間に供給される走査信号に対応して左側データ信号が供給され、前記ｉ＋２フレーム及びｉ＋３フレーム期間の間に供給される走査信号に対応して右側データ信号が供給される。
【００１５】
さらに、本発明の一実施形態による有機電界発光表示装置は、走査線及びデータ線の交差部に位置される画素と、ｉ（ｉは、１、５、９、…）フレーム及びｉ＋２フレーム期間の間、ｊ（ｊは、１、３、５、７、…）番目走査線に走査信号を順次供給し、ｉ＋１フレーム及びｉ＋３フレーム期間の間、ｊ＋１番目走査線に走査信号を順次供給する走査駆動部と、前記走査信号と同期するように前記データ線にデータ信号を供給するデータ駆動部と、を備え、前記走査駆動部は、前記ｉフレーム及びｉ＋２フレーム期間の間、前記画素が非発光状態に設定されるように発光制御線に発光制御信号を供給する。
【００１６】
好ましくは、前記走査駆動部は、前記ｊ番目走査線に走査信号が供給される時、ｊ番目発光制御線及びｊ＋１番目発光制御線に発光制御信号を供給する。前記走査駆動部は、前記ｊ＋１番目走査線に走査信号が供給される時、ｊ番目発光制御線及びｊ＋１番目発光制御線への発光制御信号の供給を中断する。
【００１７】
前記走査駆動部は、パネルの上部及び下部にそれぞれ形成された２つ以上の発光制御線に供給される発光制御信号を、前記上部および下部以外の領域に形成された発光制御線に供給される発光制御信号よりも広い幅で供給する。
【００１８】
前記パネルの中心部から前記パネルの上部及び下部へ行くほど前記発光制御信号の幅が広くなるように設定される。前記パネルの上部及び下部に位置された画素に供給されるデータのビットを変更して前記データ駆動部に供給するデータ変換部をさらに備える。
【００１９】
前記データ変換部は、前記発光制御信号が広い幅に設定されることにより損失される輝度が補償されるように、前記データのビットを変更する。また、前記データ駆動部は、前記ｉフレーム及びｉ＋１フレーム期間の間に供給される走査信号に対応して左側データ信号を供給し、前記ｉ＋２フレーム及びｉ＋３フレーム期間の間に供給される走査信号に対応して右側データ信号を供給する。ｊ番目発光制御線及びｊ＋１番目発光制御線は、電気的に接続される。
【発明の効果】
【００２０】
本発明による有機電界発光表示装置及びその駆動方法によれば、１２０Ｈｚの駆動周波数で３Ｄ映像を実現することができるという長所がある。また、本願発明による有機電界発光表示装置及びその駆動方法によれば、互いに隣接されたフレームのうち、いずれか１つのフレームは非発光状態に設定されるために消費電力を最小化することができるという効果を奏する。
【図面の簡単な説明】
【００２１】
【図１】３Ｄ映像を実現するための従来のフレーム期間を示す図である。
【図２】本発明の第１実施形態による有機電界発光表示装置を示す図である。
【図３】３Ｄ映像を実現するための本発明のフレーム期間を示す図である。
【図４】図２に示された走査駆動部から供給される駆動波形を示す波形図である。
【図５】図２に示された画素の構成を示す図である。
【図６】本発明の第２実施形態による有機電界発光表示装置を示す図である。
【図７】本発明の第３実施形態による有機電界発光表示装置を示す図である。
【発明を実施するための最良の形態】
【００２２】
以下、本発明の属する技術分野における通常の知識を有する者が本発明を容易に実施することができる好ましい実施形態について、添付された図２〜図７を参照して、詳しく説明する。
【００２３】
図２は、本発明の第１実施形態による有機電界発光表示装置を示す図である。図３は、３Ｄ映像を実現するための本発明のフレーム期間を示す図である。
【００２４】
図２及び図３を参照すれば、本実施形態の有機電界発光表示装置は、走査線（Ｓ１〜Ｓｎ）とデータ線（Ｄ１〜Ｄｍ）との交差部に位置される画素１４０を含む画素部１３０と、走査線（Ｓ１〜Ｓｎ）を駆動するための走査駆動部１１０と、データ線（Ｄ１〜Ｄｍ）を駆動するためのデータ駆動部１２０と、走査駆動部１１０及びデータ駆動部１２０を制御するためのタイミング制御部１５０とを備える。
【００２５】
走査駆動部１１０は、図４に示されるように、それぞれのフレーム期間の間、奇数番目走査線（Ｓ１，Ｓ３，…）または偶数番目走査線（Ｓ２，Ｓ４，…）に走査信号を順次に供給する。具体的には、走査駆動部１１０は、ｉ（ｉは、１、５、９、…）フレーム（ｉＦ）及びｉ＋２フレーム（ｉ＋２）期間の間、奇数番目走査線（Ｓ１，Ｓ３，…）に走査信号を順次供給し、ｉ＋１フレーム（ｉ＋１Ｆ）及びｉ＋３フレーム（ｉ＋３Ｆ）期間の間、偶数番目走査線（Ｓ２，Ｓ４，…）に走査信号を順次供給する。
【００２６】
走査駆動部１１０は、奇数番目走査線（Ｓ１，Ｓ３，…）に走査信号が順次供給されるｉフレームｉＦ及びｉ＋２フレーム（ｉ＋２Ｆ）の間、画素１４０が非発光状態に設定されるように発光制御線Ｅ１〜Ｅｎに発光制御信号を順次供給する。ここで、走査駆動部１１０は、ｊ（ｊは、１、３、５、７、…）番目走査線Ｓｊに走査信号が供給される時、ｊ番目発光制御線Ｅｊ及びｊ＋１番目発光制御線Ｅｊ＋１に発光制御信号を同時に供給する。したがって、ｉフレームｉＦ及びｉ＋２フレーム（ｉ＋２Ｆ）の間、すべての画素１４０は、非発光状態に設定される。
【００２７】
また、走査駆動部１１０は、偶数番目走査線（Ｓ２，Ｓ４，…）に走査信号が順次に供給されるｉ＋１フレーム（ｉ＋１Ｆ）及びｉ＋３フレーム（ｉ＋３Ｆ）期間の間、発光制御信号の供給を順次中断する。例えば、ｊ＋１番目走査線Ｓｊ＋１に走査信号が供給された後、ｊ番目発光制御線Ｅｊ及びｊ＋１番目発光制御線Ｅｊ＋１への発光制御信号の供給を中断する。
【００２８】
データ駆動部１２０は、ｉフレーム（ｉＦ）期間の間、奇数番目走査線（Ｓ１，Ｓ３，…）に順次供給される走査信号に対応して、データ線（Ｄ１〜Ｄｍ）の左側データ信号を供給し、ｉ＋１フレーム（ｉ＋１Ｆ）期間の間、偶数番目走査線（Ｓ２，Ｓ４，…）に順次供給される走査信号に対応して、データ線（Ｄ１〜Ｄｍ）に左側データ信号を供給する。また、データ駆動部１２０は、ｉ＋２フレーム（ｉ＋２Ｆ）期間の間、奇数番目走査線（Ｓ１、Ｓ３、…）に順次供給される走査信号に対応して、データ線（Ｄ１〜Ｄｍ）に右側データ信号を供給し、ｉ＋３フレーム（ｉ＋１Ｆ）期間の間、偶数番目走査線（Ｓ２，Ｓ４，…）に順次供給される走査信号に対応して、データ線（Ｄ１〜Ｄｍ）に右側データ信号を供給する。
【００２９】
タイミング制御部１５０は、走査駆動部１１０及びデータ駆動部１２０を制御する。シャッターメガネは、画素１４０が発光状態に設定されるｉ＋１フレーム（ｉ＋１Ｆ）期間の間、左側メガネに光の供給を受け、ｉ＋３フレーム（ｉ＋３Ｆ）期間の間、右側メガネに光の供給を受ける。この時、シャッターメガネの着用者は、シャッターメガネを通じて供給される映像を３Ｄに認知する。
【００３０】
一方、本願発明では、シャッターメガネの応答速度を考慮して、ｉ＋１フレーム（ｉ＋１Ｆ）及びｉ＋３フレーム（ｉ＋３Ｆ）期間の間、パネルの上部及び下部に位置された画素１４０の発光時間をそれ以外の領域に位置された画素１４０よりも短く設定する。このために、図４に示されるように、パネルの上部に位置された発光制御線（Ｅ１，Ｅ２，Ｅ３，Ｅ４）に供給される発光制御信号の幅をそれ以外の領域に位置された発光制御線（Ｅ５，Ｅ６…）に供給される発光制御信号の幅よりも広く設定する。同様に、パネルの下部に位置された発光制御線（Ｅｎ−３，Ｅｎ−２，Ｅｎ−１，Ｅｎ）に供給される発光制御信号の幅も、それ以外の領域に位置された発光制御線（Ｅ５，Ｅ６，…）に供給される発光制御信号の幅よりも広く設定する。
【００３１】
パネルのシャッターメガネの応答速度を考慮して、上部及び下部に位置された画素１４０の発光時間を制御すれば、クロストークなしに所望の３Ｄ映像を表示することができる。一方、本願発明において、パネルの上部及び下部にそれぞれ含まれる発光制御線の数は、シャッターメガネの応答速度などを考慮して多様に設定される。例えば、パネルの上部及び下部のそれぞれには２つ以上の発光制御線が含まれることが可能である。
【００３２】
追加的に、パネルの上部及び下部領域に含まれた画素が短い発光時間に設定される場合、パネルの上部及び下部領域の輝度が低くなって使用者に認知されうる。本願発明では、これを防止するためにパネルの上部に含まれた発光制御線（Ｅ１，Ｅ２，Ｅ３，Ｅ４）に供給される発光制御信号の幅を互いに異なるように設定することができる。この時、発光制御信号は、パネルの中心部へ行くほど徐徐に狭くなるように設定される（Ｔ３＞Ｔ２＞Ｔ１）。同様に、パネルの下部に含まれた発光制御線（Ｅｎ−３，ｎ−２，Ｅｎ−１，ｎ）に供給される発光制御信号の幅は、パネルの中心部へ行くほど徐徐に狭くなるように設定される。すると、パネルの上部及び下部に位置された画素の輝度が徐徐に暗くなるため、使用者に認知されない。
【００３３】
上述した本願発明において、１６．６ｍｓの期間の間に、ｉフレーム（ｉＦ）、ｉ＋１フレーム（ｉ＋１Ｆ）、ｉ＋２フレーム（ｉ＋２Ｆ）、及びｉ＋３フレーム（ｉ＋３Ｆ）が含まれる。ここで、２つのフレーム（ｉＦ及びｉ＋１Ｆ、ｉ＋２Ｆ及びｉ＋３Ｆ）期間の間、すべての走査線（Ｓ１〜Ｓｎ）に走査信号が供給され、走査線（Ｓ１〜Ｓｎ）に供給される走査信号に対応してデータ線（Ｄ１〜Ｄｍ）にデータ信号が供給される。すなわち、本願発明では、隣接された２つのフレーム（ｉＦ及びｉ＋１Ｆ、ｉ＋２Ｆ及びｉ＋３Ｆ）の間、画素１４０にデータ信号を供給し、これによって１２０Ｈｚの駆動周波数で駆動することができる。同時に、本願発明では、１６．６ｍｓの期間の間に含まれる４つのフレーム（ｉＦ〜ｉ＋３）のうち２つのフレーム（ｉ＋１Ｆ，ｉ＋３Ｆ）期間の間のみ画素１４０が発光されるから消費電力を最小化することができるという長所がある。
【００３４】
図５は、本実施形態による画素の構成を示す回路図である。図５を参照すれば、本実施形態による画素１４０は、有機発光ダイオードＯＬＥＤと、有機発光ダイオードＯＬＥＤに供給される電流量を制御するための画素回路１４２と、画素回路１４２と有機発光ダイオードＯＬＥＤとの間に接続される制御トランジスタＣＭとを備える。
【００３５】
有機発光ダイオードＯＬＥＤのアノード電極は、制御トランジスタＣＭに接続され、カソード電極は、第２電源ＥＬＶＳＳに接続される。このような有機発光ダイオードＯＬＥＤは、画素回路１４２から供給される電流量に対応して所定輝度の光を生成する。
【００３６】
画素回路１４２は、有機発光ダイオードＯＬＥＤに供給される電流量を制御する。このような画素回路１４２は、現在公知された多様な形態の回路で構成されうる。例えば、画素回路１４２は、第１トランジスタＭ１、第２トランジスタＭ２、及びストレージキャパシタＣｓｔを備える。
【００３７】
第１トランジスタＭ１の第１電極は、データ線Ｄｍに接続され、第２電極は、第２トランジスタＭ２のゲート電極に接続される。そして、第１トランジスタＭ１のゲート電極は、走査線Ｓｎに接続される。このような第１トランジスタＭ１は、走査線Ｓｎに走査信号が供給される時にターンオンされてデータ線Ｄｍと第２トランジスタＭ２のゲート電極とを電気的に接続する。
【００３８】
第２トランジスタＭ２の第１電極は、第１電源ＥＬＶＤＤに接続され、第２電極は、制御トランジスタＣＭの第１電極に接続される。そして、第２トランジスタＭ２のゲート電極は、第１トランジスタＭ１の第２電極に接続される。このような第２トランジスタＭ２は、自己のゲート電極に接続された電圧に対応する電流を有機発光ダイオードＯＬＥＤに供給する。
【００３９】
ストレージキャパシタＣｓｔは、第２トランジスタＭ２のゲート電極と第１電源ＥＬＶＤＤとの間に接続される。このようなストレージキャパシタＣｓｔは、データ信号に対応する電圧を充電する。
【００４０】
制御トランジスタＣＭの第１電極は、画素回路１４２に接続され、第２電極は、有機発光ダイオードＯＬＥＤのアノード電極に接続される。そして、制御トランジスタＣＭのゲート電極は、発光制御線Ｅｎに接続される。このような制御トランジスタＣＭは、発光制御線Ｅｎに発光制御信号が供給される時にターンオフされ、発光制御信号が供給されない時にターンオンされる。
【００４１】
図６は、本発明の第２実施形態による有機電界発光表示装置を示す図である。図６を参照すれば、本発明の第２実施形態による有機電界発光表示装置では、発光制御線（Ｅ１〜Ｅｎ／２）のそれぞれは、２つの水平ラインに位置された画素１４０と接続される。
【００４２】
つまり、図２で説明したように、ｊ番目水平ライン及びｊ＋１番目水平ラインに位置された画素１４０は、同一の発光制御信号の供給を受ける。したがって、本実施形態では、ｊ番目水平ライン及びｊ＋１番目水平ラインに位置された発光制御線を電気的に接続する。この場合、ｊ番目水平ライン及びｊ＋１番目水平ラインに位置された画素１４０は、物理的に同一の発光制御線に接続される。これ以外の構成及び駆動方法は、図２と同様であるから詳細な説明は省略する。
【００４３】
図７は、本発明の第３実施形態による有機電界発光表示装置を示す図である。図７を参照すれば、本発明の第３実施形態による有機電界発光表示装置では、タイミング制御部１５０とデータ駆動部１２０との間に設けられるデータ変換部２００を備える。
【００４４】
データ変換部２００は、パネルの上部及び下部に位置された画素１４０に供給されるべきデータ（Ｄａｔａ）のビット値を変更して変換データ（Ｄａｔａ’）を生成する。ここで、変換データ（Ｄａｔａ’）は、パネルの上部及び下部に位置された画素１４０の輝度が補償されうるように設定される。
【００４５】
詳しく説明すれば、図２〜図４を参照して説明したように、パネルの上部及び下部に位置された発光制御線に供給される発光制御信号は、パネルの中心部に位置された発光制御線に供給される発光制御信号より広い幅で供給される。この場合、パネルの上部及び下部に位置された画素１４０の輝度が低くなるという問題がある。したがって、データ変換部２００では、パネルの上部及び下部に位置された画素１４０が本来の輝度を表現することができるようにデータのビット値を変更して変換データ（Ｄａｔａ’）を生成する。
【００４６】
以上のように、本発明の最も好ましい実施形態について説明したが、本願発明は、上記記載に限定されるものではなく、特許請求の範囲に記載され、又は明細書に開示された発明の要旨に基づき、当業者が様々な変形や変更が可能であることはもちろんであり、斯かる変形や変更が、本発明の範囲に含まれることは言うまでもない。
【符号の説明】
【００４７】
１１０  走査駆動部、
１２０  データ駆動部、
１３０  画素部、
１４０  画素、
１５０  タイミング制御部。
【図１】
0005739138.tif 000002
【図２】
0005739138.tif 000003
【図３】
0005739138.tif 000004
【図４】
0005739138.tif 000005
【図５】
0005739138.tif 000006
【図６】
0005739138.tif 000007
【図７】
0005739138.tif 000008